(57)【要約】【課題】冬場の日射光を充分に取り込むことができるブラインドシャッタ装置を得る。【解決手段】ブラインドシャッタ装置は複数のスラット２２を備えている。スラット２２の凹面側には鏡面２２Ａが設けられ、又凸面側には光拡散面２２Ｂが設けられている。さらに、スラット２２の開度は自動調整されるようになっている。冬期の昼間にはスラット２２は鏡面２２Ａを上にして水平に保持され、夏期の昼間には光拡散面２２Ｂを屋外側に向けて傾斜状態とされる。さらに、夜間は鏡面２２Ａを室内側に向けて垂直に保持されるようになっている。【選択図】図９
2011184902.tif 000002
【特許請求の範囲】
【請求項１】
建物の開口部の上縁側に設置されると共に内部に巻取軸を有する装置本体部と、
前記巻取軸に巻き取られ、各々短冊状に形成されると共に支軸回りに回動可能とされ、開口部の高さ方向に並置されると共に相互に連結された複数のスラットと、
前記スラットを支軸回りに回動させるスラット開閉機構と、
を有し、
さらに、前記複数のスラットの少なくとも一つは、片面に鏡面を有している、
ブラインドシャッタ装置。
【請求項２】
前記鏡面を有するスラットは、支軸回りに回動されることにより、当該鏡面を開口部の上縁側へ向ける水平位置と、当該鏡面を開口部に対向させる垂直位置に保持可能とされている、
ことを特徴とする請求項１記載のブラインドシャッタ装置。
【請求項３】
前記スラットの前記片面は、凹面とされている、
ことを特徴とする請求項２記載のブラインドシャッタ装置。
【請求項４】
前記鏡面を有するスラットは、当該鏡面が設けられた片面と反対側の面に光を拡散して反射する光拡散面を有する、
ことを特徴とする請求項１〜請求項３のいずれか１項に記載のブラインドシャッタ装置。
【請求項５】
前記スラット開閉機構に駆動力を付与する駆動手段と、
日付情報及び時刻情報に基づいて、前記鏡面で反射した反射光が室内天井側へ入射されるように前記駆動手段を駆動させる制御手段と、
を有することを特徴とする請求項１〜請求項４のいずれか１項に記載のブラインドシャッタ装置。
【請求項６】
前記スラット開閉機構に駆動力を付与する駆動手段と、
日付情報及び時刻情報に基づいて、前記光拡散面で日射光を反射して日射光を遮蔽するように前記駆動手段を駆動させる制御手段と、
を有することを特徴とする請求項４記載のブラインドシャッタ装置。
【請求項７】
日射光の入射角度を検出する入射角度検出手段と、
前記入射角度検出手段の検出結果に基づいて、前記鏡面で反射した反射光が室内天井側へ入射されるように前記駆動手段を駆動させる制御手段と、
を有することを特徴とする請求項５記載のブラインドシャッタ装置。
【発明の詳細な説明】
【技術分野】
【０００１】
本発明は、ブラインドシャッタ装置に関する。
【背景技術】
【０００２】
下記特許文献１には、複数のスラットにより構成されたシャッタカーテンを備えたブラインドシャッタ装置が開示されている。具体的には、このブラインドシャッタ装置では、捕捉部材、カム体及び制御板を備えることにより、コントローラの通気スイッチが押されると、スラットを所定角度回動させて、通気ができるように構成されている点に特長がある。
【先行技術文献】
【特許文献】
【０００３】
【特許文献１】特開２００５−０６１１３８号公報
【発明の概要】
【発明が解決しようとする課題】
【０００４】
しかしながら、上記先行技術による場合、通気が可能になるものの、冬場の日射光の取り込みが不充分であり、この点において上記先行技術は改善の余地がある。
【０００５】
本発明は上記事実を考慮し、冬場の日射光を充分に取り込むことができるブラインドシャッタ装置を得ることが目的である。
【課題を解決するための手段】
【０００６】
請求項１記載の本発明に係るブラインドシャッタ装置は、建物の開口部の上縁側に設置されると共に内部に巻取軸を有する装置本体部と、前記巻取軸に巻き取られ、各々短冊状に形成されると共に支軸回りに回動可能とされ、開口部の高さ方向に並置されると共に相互に連結された複数のスラットと、前記スラットを支軸回りに回動させるスラット開閉機構と、を有し、さらに、前記複数のスラットの少なくとも一つは、片面に鏡面を有している。
【０００７】
請求項２記載の本発明に係るブラインドシャッタ装置は、請求項１記載の発明において、前記鏡面を有するスラットは、支軸回りに回動されることにより、当該鏡面を開口部の上縁側へ向ける水平位置と、当該鏡面を開口部に対向させる垂直位置に保持可能とされている、ことを特徴としている。
【０００８】
請求項３記載の本発明に係るブラインドシャッタ装置は、請求項２記載の発明において、前記スラットの前記片面は、凹面とされている、ことを特徴としている。
【０００９】
請求項４記載の本発明に係るブラインドシャッタ装置は、請求項１〜請求項３のいずれか１項に記載の発明において、前記鏡面を有するスラットは、当該鏡面が設けられた片面と反対側の面に光を拡散して反射する光拡散面を有する、ことを特徴としている。
【００１０】
請求項５記載の本発明に係るブラインドシャッタ装置は、請求項１〜請求項４のいずれか１項に記載の発明において、前記スラット開閉機構に駆動力を付与する駆動手段と、日付情報及び時刻情報に基づいて、前記鏡面で反射した反射光が室内天井側へ入射されるように前記駆動手段を駆動させる制御手段と、を有することを特徴としている。
【００１１】
請求項６記載の本発明に係るブラインドシャッタ装置は、請求項４記載の発明において、前記スラット開閉機構に駆動力を付与する駆動手段と、日付情報及び時刻情報に基づいて、前記光拡散面で日射光を反射して日射光を遮蔽するように前記駆動手段を駆動させる制御手段と、を有することを特徴としている。
【００１２】
請求項７記載の本発明に係るブラインドシャッタ装置は、請求項５記載の発明において、日射光の入射角度を検出する入射角度検出手段と、前記入射角度検出手段の検出結果に基づいて、前記鏡面で反射した反射光が室内天井側へ入射されるように前記駆動手段を駆動させる制御手段と、を有することを特徴としている。
【００１３】
請求項１記載の本発明によれば、建物の開口部の上縁側に設置された装置本体部の内部には巻取軸が配設されている。この巻取軸が巻取方向に回転すると複数のスラットが巻取軸に巻き取られていき、逆に巻取軸が繰出し方向に回転すると複数のスラットが巻取軸から繰出されていく。
【００１４】
ここで、本発明では、複数のスラットの少なくとも一つは片面に鏡面を有しているので、スラット開閉機構によりスラットを支軸回りに回動させて鏡面が上面側に配置されるようにすることができる。このため、例えば冬場の日中には鏡面を上に向けておけば、日射光が鏡面で反射して室内の天井を照射する。このようにすれば、日照時間が少ない冬場にも充分に日射光を室内に取り込むことができる。なお、これにより電気代を節約できるメリットもある。
【００１５】
請求項２記載の本発明によれば、スラットを水平位置及び垂直位置に保持することができる。スラットが水平位置に保持された場合には、鏡面が建物の開口部の上縁側を向くため、冬場の日射光の取込みに有効である。一方、スラットが垂直位置に保持された場合には、鏡面が建物の開口部に対向するため、夜間に室内照明を屋外へ漏らさずに室内照明から照射された照明光を鏡面で反射して室内へ戻すことができる。このため、弱い照明光でも室内の明るさを確保することができる。
【００１６】
請求項３記載の本発明によれば、スラットの鏡面側となる片面が凹面とされているので、冬場の日射光を凹面で集光して室内の天井に照射するといったことが可能になる。
【００１７】
請求項４記載の本発明によれば、スラットの鏡面側と反対側の面に光拡散面が設けられているので、例えば、夏場の日差しが強く日射を遮蔽させたい場合には、光拡散面を日射を遮蔽できる角度に調整するといった使い方が可能になる。仮に鏡面を日射遮蔽に用いると隣家に反射光が差し込むおそれがあるが、本発明では鏡面側と反対側の面に光拡散面を有するため、そのような事態を回避することができる。
【００１８】
請求項５記載の本発明によれば、制御手段は、日付情報及び時刻情報に基づいて駆動手段を駆動させる。このため、スラット開閉機構が作動して、鏡面で反射した反射光が室内天井側へ入射されるようにスラットの開度が調整される。
【００１９】
請求項６記載の本発明によれば、制御手段は、日付情報及び時刻情報に基づいて駆動手段を駆動させる。このため、スラット開閉機構が作動して、光拡散面で日射光を反射して日射光を遮蔽するようにスラットの開度が調整される。
【００２０】
請求項７記載の本発明によれば、入射角度検出手段によって日射光の入射角度が検出されると、それに基づいて制御手段が駆動手段を駆動させる。このため、スラット開閉機構が作動して、鏡面で反射した反射光が室内天井側へ入射されるようにスラットの開度が調整される。
【発明の効果】
【００２１】
以上説明したように、請求項１記載の本発明に係るブラインドシャッタ装置は、冬場の日射光を充分に取り込むことができるという優れた効果を有する。
【００２２】
請求項２記載の本発明に係るブラインドシャッタ装置は、冬場の日射光を充分に取り込むことができると共に、夜間における省エネを図ることができるという優れた効果を有する。
【００２３】
請求項３記載の本発明に係るブラインドシャッタ装置は、室内を効果的に明るくすることができるという優れた効果を有する。
【００２４】
請求項４記載の本発明に係るブラインドシャッタ装置は、日差しが強い夏場において隣家に影響が出ないかたちで日射遮蔽効果を上げることができるという優れた効果を有する。
【００２５】
請求項５記載の本発明に係るブラインドシャッタ装置は、冬場に、日付情報及び時刻情報に基づいて自動的に日射光を取り込むことができるという優れた効果を有する。
【００２６】
請求項６記載の本発明に係るブラインドシャッタ装置は、夏場に、日付情報及び時刻情報に基づいて自動的に日射光を遮蔽することができるという優れた効果を有する。
【００２７】
請求項７記載の本発明に係るブラインドシャッタ装置は、冬場に、日射光の入射角度に応じて自動的に日射光を室内に取り込むことができるという優れた効果を有する。
【図面の簡単な説明】
【００２８】
【図１】本実施形態に係るブラインドシャッタ装置の冬期の昼間の使用態様を示す概略立面図である。
【図２】本実施形態に係るブラインドシャッタ装置の夏期の昼間の使用態様を示す図１に対応する概略立面図である。
【図３】本実施形態に係るブラインドシャッタ装置の夜間の使用態様を示す図１に対応する概略立面図である。
【図４】本実施形態に係るブラインドシャッタ装置の正面図である。
【図５】本実施形態に係るブラインドシャッタ装置のスラット開閉機構の要部を示す要部拡大斜視図である。
【図６】（Ａ）はラックバーが退避位置にある場合を示す平面図であり、（Ｂ）はラックバーが前進位置にある場合を示す平面図である。
【図７】本実施形態に係るブラインドシャッタ装置のシステム概要を示すブロック図である。
【図８】本実施形態に係るブラインドシャッタ装置の使用の仕方を説明するためのフローチャートである。
【図９】（Ａ）は夜間の使用態様を示すブラインドシャッタの斜視図であり、（Ｂ）は冬期の昼間の使用態様を示すブラインドシャッタの斜視図であり、（Ｃ）は夏期の昼間の使用態様を示すブラインドシャッタの斜視図である。
【図１０】冬期の昼間におけるブラインドシャッタの使用態様を拡大して示す概略側面図である。
【図１１】夏期の昼間におけるブラインドシャッタの使用態様を拡大して示す概略側面図である。
【図１２】夜間におけるブラインドシャッタの使用態様を拡大して示す概略側面図である。
【発明を実施するための形態】
【００２９】
以下、図１〜図１２を用いて、本発明に係るブラインドシャッタ装置の一実施形態について説明する。
【００３０】
＜本実施形態に係るブラインドシャッタ装置１０の考え方＞
まず、図１〜図３を用いて、本実施形態に係るブラインドシャッタ装置１０の考え方について説明する。
【００３１】
図１〜図３に示されるように、本実施形態に係るブラインドシャッタ装置１０は、住宅等の建物１２の窓１４の上縁側に設置され、昼間はブラインドとして用いられ、夜間は雨戸として用いられるようになっている。
【００３２】
このブラインドシャッタ装置１０は、窓１４の上縁側に配置される装置本体部１６と、この装置本体部１６内に配設された巻取軸１８（図４参照）に巻取り及び繰出し可能に端部が固定されたブラインドシャッタ２０と、を含んで構成されている。ブラインドシャッタ２０は、各々短冊状に構成された複数枚のスラット２２を巻取り及び繰出し方向に連結することにより構成されている。各スラット２２は回動可能に構成されており、複数枚のスラット２２が同期して回動することで、ブラインドシャッタ２０の開度が調整（変更）されるようになっている。
【００３３】
各スラット２２は、長手方向に対して直交する方向に切断したときの断面形状が細長い楕円形状となるように形成されており、両面とも凸湾曲形状の曲面で構成されている。スラット２２の片面は鏡面２２Ａとされており、又スラット２２の鏡面２２Ａと反対側の面は光拡散面２２Ｂとされている。鏡面２２Ａはスラット２２の片面を鏡面仕上げすることにより設けられている。光拡散面２２Ｂはスラット２２の鏡面２２Ａと反対側の面をつや消し仕上げすることにより設けられている。但し、鏡面２２Ａとして機能する手法であれば、鏡面仕上げにすること以外の手法に依ってもよい。また、光拡散面２２Ｂとして機能する手法であれば、つや消し仕上げすること以外の手法に依ってもよい。なお、スラット２２の開度調整機構の構造については後述する。
【００３４】
図１には、上記ブラインドシャッタ装置１０の冬期の昼間の使用態様が示されている。このときには、スラット２２は略水平になる開度（約９０度）に調整される。これにより、冬場の弱い直射日光Ｐをスラット２２で反射し、その反射光Ｑを居室２４の天井面２６に導き、部屋全体を明るくするようになっている。
【００３５】
一方、図２には、上記ブラインドシャッタ装置１０の夏期の昼間の使用態様が示されている。このときには、スラット２２はスラット下縁側がスラット上縁側よりも建物屋外側に位置するよう所定角度傾斜した開度（約４５度〜約６０度）に調整される。これにより、夏場の強い直射日光Ｐをスラット２２で反射するものの拡散光Ｒとし、強い日差しが居室２４内に直接入射しないようになっていると共に、近隣の住宅に強い反射光が照射されないようになっている。
【００３６】
また、図３には、上記ブラインドシャッタ装置１０の夜間の使用態様が示されている。このときには、スラット２２は床面２８に対して垂直になる開度（約０度）に調整される。これにより、年間を通して夜間の照明器具３０による照明光Ｓが鏡面２２Ａで反射されて居室２４内に戻るため、弱い照明光Ｓであっても居室２４内を明るくすることができる。
【００３７】
＜本実施形態に係るブラインドシャッタ装置１０の詳細構造について＞
図４に示されるように、ブラインドシャッタ装置１０は、窓開閉方向（開口部幅方向）を長手方向とする箱体形状の装置本体部１６を窓上端部に備えている。この装置本体部１６の内部には、昇降モータ３２（図７参照）及び巻取軸１８等の昇降手段が収容されている。また、装置本体部１６の長手方向の両端部からは、左右一対のガイドレール部３４が平行に延出されている。これらのガイドレール部３４間に、各々短冊状に形成された複数のスラット２２から成るブラインドシャッタ２０が昇降可能に支持されている。
【００３８】
図５には、上述したブラインドシャッタ２０のスラット２２を開閉させるためのスラット開閉機構３６の要部が示されている。この図に示されるように、ガイドレール部３４内には、その長手方向に沿って真直棒状の支持部材３８が立設されている。この支持部材３８には、側面視でコ字状に形成されたラックバー４０の両端部が支持されている。
【００３９】
より具体的には、ラックバー４０は、ガイドレール部３４の長手方向に沿って配置された第１ラック部４２と、この第１ラック部４２の長手方向の両端部から屋内方向へ互いに平行に屈曲された上下一対の第２ラック部４４と、によって構成されている。第１ラック部４２には第１ラック歯４２Ａが形成されており、又第２ラック部４４には第２ラック歯４４Ａが形成されている。第１ラック歯４２Ａには、駆動手段としての第１駆動モータ４６の出力軸に固定された第１ピニオンギヤ４８が図示しない減速機構を介して噛み合っている。また、第２ラック歯４４Ａには、駆動手段としての第２駆動モータ５０の出力軸に固定された第２ピニオンギヤ５２が噛み合っている。さらに、第２ラック部４４には、屋内外方向を長手方向とする長孔５４が形成されている。長孔５４の孔幅は、支持部材３８の軸外径より僅かに大きく設定されている。
【００４０】
従って、第１駆動モータ４６が駆動回転すると、ラックバー４０が支持部材３８に沿って上下動し、第２駆動モータ５０が駆動回転すると、図６（Ａ）、（Ｂ）に示されるように、ラックバー４０が長孔５４の長さの範囲内で屋内外方向へ移動する構成である。なお、ガイドレール部３４には、ラックバー４０の移動をガイドする図示しないガイド手段が設けられている。
【００４１】
一方、ブラインドシャッタ２０は、各々短冊状に形成された複数枚のスラット２２によって構成されている。各スラット２２の構成は前述した通りであり、全体として凸湾曲形状に形成されている。そして、凹面側が鏡面２２Ａとされ、凸面側が光拡散面２２Ｂとされている。
【００４２】
各スラット２２は、それぞれ支軸としてのロッド５６を備えている。ロッド５６は真直棒状に形成されており、スラット２２の中央部を貫通するように配設されている。なお、スラット２２の長手方向寸法よりも長いロッド５６をスラット２２の中央部に貫通させる構成を採ってもよいし、スラット２２の長手方向の両端部の中央から短いロッドを同軸上に突出させる構成を採ってもよい。
【００４３】
上記ロッド５６の長手方向の両端部には、第１ラック歯４２Ａと噛み合う角度調整ギヤ５８が同軸上に固定されている。従って、角度調整ギヤ５８が回転すると、ロッド５６及びスラット２２も一体に（つまり、同一回転方向に同一回転角だけ）回転するようになっている。なお、スラット２２を巻取軸１８に層状に巻取る関係から、角度調整ギヤ５８の外径は、スラット２２の厚さと同等以下に設定することが望ましい。
【００４４】
昇降手段の構成について補足すると、図５に示されるように、複数のスラット２２は、長尺状かつ可撓性を有する樹脂製のテープ６０によって連結されている。テープ６０にはロッド５６のピッチに合わせて円筒状の保持部６２が一体に形成されており、この保持部６２内にロッド５６が相対回転可能に挿通されている。また、テープ６０には所定ピッチで矩形状の係止孔６４が形成されている。装置本体部１６内に格納された巻取軸１８の軸端側には、図示しない減速機構を介して昇降モータ３２（図４参照）が接続されている。また、巻取軸１８には、同軸上に図示しないスプロケットが配設されており、昇降モータ３２が駆動回転すると、巻取軸１８と一体にスプロケットが同一方向へ同一回転量だけ回転するようになっている。このスプロケットの歯にテープ６０に形成された係止孔６４が係合されながら、スプロケットにテープ６０が巻取り及び繰出しされるようになっている。
【００４５】
次に、ブラインドシャッタ装置１０のシステム概要について説明する。図７に示されるように、ブラインドシャッタ装置１０は、制御手段としての制御装置６６を備えている。制御装置６６の入力側には日射光の入射角度を検出するための入射角度検出手段としての入射角度検出センサ６８が接続されており、日射光の入射角度を制御装置６６に常時又は所定時間ごとに出力している。この入射角度検出センサ６８は、ブラインドシャッタ装置１０のガイドレール部３４等に設置されている。また、制御装置６６の出力側には昇降モータ３２、第１駆動モータ４６及び第２駆動モータ５０が接続されており、これらの昇降モータ３２、第１駆動モータ４６及び第２駆動モータ５０の作動を制御している。
【００４６】
（作用・効果）
次に、本実施形態の作用並びに効果について説明する。
【００４７】
図８には、本実施形態に係るブラインドシャッタ装置１０の作動の流れが示されている。以下、このフローチャートに基づいて説明していく。まず、ステップ１００で、リモコン（リモートコントローラ）を使ってブラインドシャッタ装置１０の自動制御を指示すると、ステップ１０２で、季節に合わせてブラインドシャッタ２０の向きと制御角度が判断される。すなわち、制御装置６６はクロックを備えており、現時点の日付及び時刻情報を取得している。このうち日付情報から、現時点の季節が冬期であると判断された場合は、日差しが弱くブラインドシャッタ２０で日射を取り込みたい状況の場合であるから、ステップ１０４以降のフローへ移行される。一方、ステップ１０２で、現時点の季節が夏期であると判断された場合は、日差しが強くブラインドシャッタ２０で日差しを遮蔽したい状況の場合であるから、ステップ１１４以降のフローへ移行される。
【００４８】
冬期と判断された場合、まずステップ１０４で、昇降モータ３２が正転駆動され、ブラインドシャッタ２０が巻取軸１８から繰出される。ブラインドシャッタ２０は最下降位置まで繰出されると、リミットスイッチがＯＮされて自動的に停止される。なお、窓１４の全体を覆うまでのブラインドシャッタ２０の繰出し量が予め解っている場合は、昇降モータ３２の駆動回転数を制御してブラインドシャッタ２０を最下降位置で自動的に停止させるようにしてもよい。また、ブラインドシャッタ２０は、リモコンの停止ボタンが押された場合は、途中位置でも強制的に停止するようになっている。また、昇降モータ３２が駆動される際には、ラックバー４０は図６（Ａ）に示される退避位置に保持されている。
【００４９】
ブラインドシャッタ２０が最下降位置まで下降した時点では、スラット２２の向きは図９（Ａ）に示される状態になっており、鏡面２２Ａが設けられた凹面側が屋内（室内）側を向き、光拡散面２２Ｂが設けられた凸面側が屋外を向いている。
【００５０】
次に、ステップ１０６へ移行し、入射角度検出センサ６８によって検出された日射光の入射角度情報が取り込まれる。制御装置６６のＣＰＵは、入射角度検出情報が取り込まれると、太陽高度を演算するようになっている。そして、ステップ１０８へ移行し、太陽高度に合わせてブラインドシャッタ２０のスラット２２の開度が調整される。具体的には、ステップ１０４以降の流れは冬期の場合であるから、スラット２２は略水平な状態（図９（Ｂ）参照）に保たれる。このため、ステップ１０８では、垂直状態にあるスラット２２を図９（Ａ）の図示状態で見て時計方向に９０度回動させる。
【００５１】
具体的には、図６（Ａ）に示される状態から第２駆動モータ５０が所定量だけ正転駆動される。これにより、ラックバー４０が屋外方向へ移動（前進）される。支持部材３８が長孔５４の始端部に位置されると、第２駆動モータ５０は停止される。これにより、ラックバー４０の第１ラック部４２の第１ラック歯４２Ａがスラット２２の角度調整ギヤ５８に押付けられて噛み合い状態となる。次に、第１駆動モータ４６が所定量正転駆動される。このときの第１駆動モータ４６の回転数がスラット２２の開度が０度から９０度になるまでの回転数とされる。これにより、図９（Ｂ）及び図１０に示されるように、スラット２２は略水平な状態になる。
【００５２】
さらに、ステップ１０６で取り込んだ日射角度情報に基づいて、第１駆動モータ４６が正転又は逆転駆動されて、そのときの日射角度に対して日射光を天井面２６に反射するのに最適な角度となるようにスラット２２の開度が±α度（例えば±２０度）の範囲内で所定時間ごとに（例えば１０分ごとに）微調整される。但し、ステップ１０２で冬期と判断された時点で、スラット２２の開度を９０度に固定する制御にしてもよい。
【００５３】
このようにスラット２２の開度を自動調整することにより、図１０に示されるように、スラット２２で反射された日射光が天井面２６に反射されて天空光に加えて室内に取り込まれる（ステップ１１０）。特に、本実施形態のスラット２２の凹面は鏡面２２Ａとされているので、冬期の昼間の弱い日射光を効果的に室内に取り込むことができ、読書や軽作業を行う際に室内灯を点けずに済み、省エネになる（ステップ１１２）。
【００５４】
一方、ステップ１０２で夏期と判断された場合、まずステップ１１４で、昇降モータ３２が正転駆動され、ブラインドシャッタ２０が巻取軸１８から繰出される。ブラインドシャッタ２０は最下降位置まで繰出されると、リミットスイッチがＯＮされて自動的に停止される。なお、昇降モータ３２が駆動される際には、ラックバー４０は図６（Ａ）に示される退避位置に保持されている。
【００５５】
ブラインドシャッタ２０が最下降位置まで下降した時点では、スラット２２の向きは図９（Ａ）に示される状態になっており、鏡面２２Ａが設けられた凹面側が屋内（室内）側を向き、光拡散面２２Ｂが設けられた凸面側が屋外を向いている。
【００５６】
次に、ステップ１１６へ移行し、入射角度検出センサ６８によって検出された日射光の入射角度情報が取り込まれ、ＣＰＵで太陽高度が演算される。そして、ステップ１１８へ移行し、太陽高度に合わせてブラインドシャッタ２０のスラット２２の開度が調整される。具体的には、ステップ１１４以降の流れは夏期の場合であるから、スラット２２は凸面（光拡散面２２Ｂ）が屋外側を向くようにかつ所定角度傾斜した状態（図９（Ｃ）参照）に保たれる。このため、ステップ１１８では、垂直状態にあるスラット２２を図９（Ａ）の図示状態で見て時計方向へ３０度から６０度の範囲内で回動させる。
【００５７】
具体的には、図６（Ａ）に示される状態から第２駆動モータ５０が所定量だけ正転駆動される。これにより、ラックバー４０が屋外方向へ移動（前進）される。支持部材３８が長孔５４の始端部に位置されると、第２駆動モータ５０は停止される。これにより、ラックバー４０の第１ラック部４２の第１ラック歯４２Ａがスラット２２の角度調整ギヤ５８に押付けられて噛み合い状態となる。次に、第１駆動モータ４６が所定量正転駆動される。このときの第１駆動モータ４６の回転数は、スラット２２の開度が０度から３０度〜６０度の範囲内で、かつ太陽高度に応じて求められた角度に応じた回転数とされる。これにより、図９（Ｃ）及び図１２に示されるように、スラット２２は光拡散面２２Ｂを屋外側に向けてかつスラット下縁がスラット上縁よりも屋外側となるよう所定角度傾斜された状態になる。
【００５８】
このようにスラット２２の開度を自動調整することにより、図９（Ｃ）及び図１１に示されるように、スラット２２で遮蔽された直射日光は室内に入らず、天空光が室内に取り込まれる（ステップ１２０）。これにより、室内温度の上昇を抑え、エアコンの稼動時間を減らすことができ、省エネになる（ステップ１２２）。また、本実施形態のスラット２２の凸面は光拡散面２２Ｂとされているので、強い反射光が隣家に差し込む弊害もない。
【００５９】
一方、年間を通じて夜間については、ステップ１２４以降のフローが実行される。すなわち、ステップ１２４で、スラット２２が全閉状態（図９（Ａ）及び図１２参照）とされる。この場合は、スラット２２の鏡面２２Ａが室内側に向けられるので、鏡面２２Ａで反射された照明器具３０からの照明光が室内に戻され、照明光に加えて反射光が室内に残る（ステップ１２６）。このように屋外に照明光が漏れないようにすることで室内を明るくし、少ない照明でも明るさを保つことができ、省エネになる（ステップ１２８）
【００６０】
なお、上述した本実施形態では、すべてのスラット２２の凹面を鏡面２２Ａとしたが、これに限らず、少なくとも一つのスラットの凹面が鏡面にされればよい。この場合でも、それに応じた効果は得られる。例えば、ブラインドシャッタ１０の上部のみに鏡面２２Ａを設定してもよい。この場合でも、天井面２６に近い位置にあるスラット２２の凹面が鏡面２２Ａとされることで、冬場の日射光の取り込み効果は高い。
【００６１】
また、上述した本実施形態では、凸面同士の組み合わせから成る図１に示されるスラット２２と、凸面と凹面とで構成された図１０に示されるスラット２２を説明したが、これに限らず、凸面と平面で構成された半月状断面のスラット等にしてもよい。
【符号の説明】
【００６２】
１０      ブラインドシャッタ装置
１２      建物
１４      窓（開口部）
１６      装置本体部
１８      巻取軸
２０      ブラインドシャッタ
２２      スラット
２２Ａ    鏡面
２２Ｂ    光拡散面
２６      天井面
３６      スラット開閉機構
４６      第１駆動モータ（駆動手段）
５０      第２駆動モータ（駆動手段）
５６      ロッド（支軸）
５８      角度調整ギヤ（スラット開閉機構）
６６      制御装置（制御手段）
６８      入射角度検出センサ（入射角度検出手段）
【図１】
2011184902.tif 000003
【図２】
2011184902.tif 000004
【図３】
2011184902.tif 000005
【図４】
2011184902.tif 000006
【図５】
2011184902.tif 000007
【図６】
2011184902.tif 000008
【図７】
2011184902.tif 000009
【図８】
2011184902.tif 000010
【図９】
2011184902.tif 000011
【図１０】
2011184902.tif 000012
【図１１】
2011184902.tif 000013
【図１２】
2011184902.tif 000014